(57)【要約】【課題】  防塵性を向上させることができるとともに小型化が可能なシャッター付き光接続部品を得る。【解決手段】  プラグ挿入口１１を覆うシャッター２０を２枚の扉２１ａ、２１ｂで構成したので、扉２１ａ、２１ｂの開閉に必要な空間を狭くすることができ、シャッター付き光接続部品１の小型化を図ることができる。また、２枚の扉２１ａ、２１ｂの先端部２３が互いに重なるようにすることによりプラグ挿入口１１を完全に閉じるので、外部からの埃等の侵入を完全に遮断することができ、防塵性を向上させることができることになる。さらに、各扉２１ａ、２１ｂの上下両端から突出する凸部２２を筒状の本体１０の前端面１２に形成した凹部１３に嵌合させることにより各扉２１ａ、２１ｂを回動自在に仮固定するとともに、プラグ挿入口１１の前方からマスク部材３０を被せて各扉２１ａ、２１ｂを開閉自在に本固定するので、容易に組み立てることができる。【選択図】      図２
2006220951.tif 000002
【特許請求の範囲】
【請求項１】
少なくとも一方の側に光ファイバケーブルのプラグが挿入されるプラグ挿入口を有する本体と、前記プラグ挿入口を塞ぐシャッターを開閉自在に備えたシャッター付き光接続部品であって、
前記シャッターが、前記プラグが挿入された際には内側に回動する２枚の扉から構成され、
前記プラグを挿通可能にする大きさの開口を有し、前記本体の前記プラグ挿入口に被せるマスク部材を備えたことを特徴とするシャッター付き光接続部品。
【請求項２】
前記２枚の扉は、前記マスク部材を前記本体に被せることにより、前記本体に形成した凹部に上下両端に設けられた凸部を係合させて固定されることを特徴とする請求項１に記載のシャッター付き光接続部品。
【請求項３】
前記２枚の扉は、閉じた際には先端部が互いに重なることを特徴とする請求項１または請求項２に記載のシャッター付き光接続部品。
【請求項４】
前記２枚の扉を常時閉じる方向に付勢するとともに前記プラグが前記プラグ挿入口から挿入された際には前記２枚の扉が開くのを許容する付勢手段を有することを特徴とする請求項１から請求項３のいずれかに記載のシャッター付き光接続部品。
【請求項５】
前記本体の前記プラグ挿入口において対向する２面に、前記プラグの１外側面に設けられているキー突起が挿嵌可能なキー溝が設けられていることを特徴とする請求項１から請求項４のいずれかに記載のシャッター付き光接続部品。
【請求項６】
前記本体が、前記プラグ挿入口が複数個並設されたものであることを特徴とする請求項１から請求項５のいずれかに記載のシャッター付き光接続部品。
【発明の詳細な説明】
【技術分野】
【０００１】
本発明はシャッター付き光接続部品に係り、例えば、光ファイバケーブルに装着されたプラグを挿入して他の光ファイバケーブルと光結合するための光接続部品であって、非使用時には挿入口がシャッターにより塞がれるシャッター付き光接続部品に関するものである。
【背景技術】
【０００２】
従来より、シャッター付き光接続部品が知られている（例えば特許文献１、特許文献２参照）。
図７（Ａ）は特許文献１に開示されているシャッター付きアダプタの分解斜視図、（Ｂ）は全体の斜視図である。
図に示すように、このシャッター付きアダプタ１００では、ハウジング１０１の底部外壁１０２に沿って設けられる底板１０３と、底板１０３から立ち上がる立上り部１０４とを備えた略Ｌ字状のシャッター板１０５と、ハウジング１０１の底部外壁１０２に沿って設けられる底部板１０６と底部板１０６からハウジング１０１の両側部壁に沿って立ち上がる側部板１０７とを備えた支持板１０８が設けられており、シャッター板１０５を支持板１０８とハウジング１０１の底部外壁１０２との間に挟んで固定する。
シャッター板１０５は弾性部材より形成されており、光コネクタをこのアダプタ１００に挿入嵌合する際には、シャッター板１０５の立上り部１０４が折り曲げられる。一方、光コネクタを取り外すと、立上り部１０４が弾性復元力により光コネクタの挿入口１０９側に立ち上がり、光コネクタ挿入口１０９側に向けて送信される光を遮断する。
【０００３】
また、図８（Ａ）には特許文献２に開示されているシャッター付きコネクタにおけるシャッターが閉じた状態を示す正面図、（Ｂ）はシャッターが開いた状態を示す正面図である。
この光コネクタ１１０では、光ファイバケーブルのプラグ部が挿入される挿入孔１１１と、この挿入孔１１１に挿入された光ファイバケーブルと光学的に結合した光素子と、挿入孔１１１を開閉するシャッター１１２とを備えている。従って、光ファイバケーブルのプラグ部が挿入孔１１１に挿入されると、図８（Ｂ）に示すように、プラグ部によってシャッター１１２が押し込まれて開き、プラグ部が挿入されることになる。一方、プラグ部が取り外されると、図８（Ａ）に示すように、シャッター１１２が閉じるようになっている。
【特許文献１】特開２００１−１９４５６２号公報
【特許文献２】特開２００２−３６５４９２号公報
【発明の開示】
【発明が解決しようとする課題】
【０００４】
ところで、図７において前述した特許文献１に開示されているシャッター付きアダプタ１００では、光素子の前面のみを覆うものであり、アダプタ１００内部への埃等の進入を阻止することができず防塵性にかけるという不都合があった。
また、図８において前述した特許文献２に開示されているコネクタ１１０においては、一枚板のシャッター１１２が開閉する構造となっているので開閉に必要な空間を大きく確保する必要があり、コネクタの小型化を図ることができないという不都合があった。
【０００５】
本発明は、前述した問題点に鑑みてなされたものであり、その目的は、防塵性を向上させることができるとともに小型化が可能なシャッター付き光接続部品を提供することにある。
【課題を解決するための手段】
【０００６】
前述した目的を達成するために、本発明にかかるシャッター付き光接続部品は、少なくとも一方の側に光ファイバケーブルのプラグが挿入されるプラグ挿入口を有する本体と、前記プラグ挿入口を塞ぐシャッターを開閉自在に備えたシャッター付き光接続部品であって、前記シャッターが、前記プラグが挿入された際には内側に回動する２枚の扉から構成され、前記プラグを挿通可能にする大きさの開口を有し、前記本体の前記プラグ挿入口に被せるマスク部材を備えたことを特徴としている。
【０００７】
このように構成されたシャッター付き光接続部品においては、プラグ挿入口を覆うシャッターを２枚の扉で構成したので、扉の開閉に必要な空間を狭くすることができ、シャッター付き光接続部品の小型化を図ることができる。また、マスク部材を備えることにより外部からの埃等の侵入を完全に遮断することができ、防塵性を向上させることができることになる。
【０００８】
また、本発明にかかるシャッター付き光接続部品は、前述したように、プラグ挿入口を遮断するシャッターを２枚の扉で構成したものであって、前記２枚の扉は、前記マスク部材を前記本体に被せることにより、前記本体に形成した凹部に上下両端に設けられた凸部を係合させて固定されることを特徴としている。
【０００９】
このように構成されたシャッター付き光接続部品においては、各扉の上下両端から突出する凸部を本体の前端面に形成した凹部に嵌合させることにより各扉を回動自在にするとともに、プラグ挿入口の前方からマスク部材を被せて各扉を開閉自在に固定するので、容易に組み立てることができる。
【００１０】
また、本発明にかかるシャッター付き光接続部品は、前述したように、プラグ挿入口を遮断するシャッターを２枚の扉で構成したものであって、前記２枚の扉は、閉じた際には先端部が互いに重なることを特徴としている。
【００１１】
このように構成されたシャッター付き光接続部品においては、プラグを挿入していない状態では完全にプラグ挿入口を遮断することができるので、外部からの埃等の侵入を完全に遮断することができ、防塵性を向上させることができることになる。
【００１２】
また、本発明にかかるシャッター付き光接続部品は、前述したように、プラグ挿入口を遮断するシャッターを２枚の扉で構成したものであって、前記２枚の扉を常時閉じる方向に付勢するとともに前記プラグが前記プラグ挿入口から挿入された際には前記２枚の扉が開くのを許容する付勢手段を有することを特徴としている。
【００１３】
このように構成されたシャッター付き光接続部品においては、プラグ挿入口にプラグを挿入する際には２枚の扉が開くが、プラグを取り外すと２枚の扉は付勢手段により閉じるので、外部からの埃等の侵入を完全に遮断することができ、防塵性を向上させることができることになる。
【００１４】
また、本発明にかかるシャッター付き光接続部品は、前述したように、本体に設けられているプラグ挿入口に光ファイバケーブルのプラグを挿入して結合するものであって、前記本体の前記プラグ挿入口において対向する２面に、前記プラグの１外側面に設けられているキー突起が挿嵌可能なキー溝が設けられていることを特徴としている。
【００１５】
このように構成されたシャッター付き光接続部品においては、本体のプラグ挿入口における対向する２面にキー溝を設けたので、プラグを上下反対に挿入した場合でもプラグに設けられているキー突起はキー溝に嵌合可能となる。このため、プラグの接続が容易になる。
【００１６】
また、本発明にかかるシャッター付き光接続部品は、前述したように、本体に設けられているプラグ挿入口に光ファイバケーブルのプラグを挿入して結合するものであって、前記本体が、前記プラグ挿入口が複数個並設されたものであることを特徴としている。
【００１７】
このように構成されたシャッター付き光接続部品においては、本体が複数個のプラグ挿入口を有するので、複数本の光ファイバケーブルの接続が可能になるとともに、複数個のプラグ挿入口に合わせて複数の開口を有するマスク部材を設計すれば、シャッター付き光接続部品を容易に構成できる。
【発明の効果】
【００１８】
本発明によれば、プラグ挿入口を覆うシャッターを２枚の扉で構成したので、扉の開閉に必要な空間を狭くすることができ、シャッター付き光接続部品の小型化を図ることができる。また、マスク部材を備えることによって、外部からの埃等の侵入を遮断することができ、防塵性を向上させることができるという効果が得られる。
【発明を実施するための最良の形態】
【００１９】
以下、本発明に係る好適な実施の形態を図面に基づいて詳細に説明する。
図１は本発明のシャッター付き光接続部品に係る第１の実施の形態であるシャッター付きレセプタクルを示す斜視図、図２はシャッター付きレセプタクルの分解斜視図、図３（Ａ）〜（Ｃ）は組立工程を示す斜視図、図４はシャッター取付部の拡大斜視図、図５はシャッター付きレセプタクルにコネクタを挿入する状態を示す斜視図である。
【００２０】
図１および図２に示すように、本発明の第１の実施の形態であるシャッター付き光接続部品としてのシャッター付レセプタクル１は、少なくとも一方の側（図１においては左側）に光ファイバケーブルのプラグであるＳＣコネクタ５０（図５参照）が挿入されるプラグ挿入口１１を有する筒状の本体１０と、プラグ挿入口１１を塞ぐシャッター２０を開閉自在に備えている。そして、シャッター２０は、本体１０のプラグ挿入口１１において対向する２面１１ａ、１１ｂの前端面１２に形成された凹部１３に、上下両端に設けられた凸部２２を係合させることにより回動自在に支持されるとともに、シャッター２０が閉じた際には先端部２３が互いに重なり、ＳＣコネクタ５０が挿入された際には本体１０の内側に回動する２枚の扉２１ａ、２１ｂから構成されている。なお、凹部１３は凸部２２を圧入することによって仮支持できるように、平面視鍵穴状に形成されていると望ましい。
また、シャッター付レセプタクル１は、ＳＣコネクタ５０が挿通可能な大きさの開口３１を有するとともに２枚の扉２１ａ、２１ｂの凸部２２を押えることにより２枚の扉２１ａ、２１ｂを本体１０に回動自在に固定すべく本体１０のプラグ挿入口１１に被せるマスク部材３０とを備えている。
【００２１】
さらにシャッター付レセプタクル１の構成について詳述する。
図１および図２に示すように、本体１０におけるプラグ挿入口１１にはマスク部材３０を取付けるフランジ部１４が全周にわたって設けられており、フランジ部１４の上下両面の前端面１２には前方（図２において左側）へ開放された部分縁形状をした凹部１３が設けられている。また、フランジ部１４の後方（図２において右側）には、マスク部材３０を取り付けた際に本体１０の外周面がマスク部材３０と同じ高さとなる段部１６が設けられており、この段部１６の上下両面には、マスク部材３０を係止するための係止溝１７が各々２条ずつ設けられている。なお、係止溝１７の先端部は一段下がった深部１７ａが設けられている。
【００２２】
図２および図４に示すように、２枚の扉２１ａ、２１ｂの上面には回動軸となる円形断面をした棒状の凸部２２が設けられており、この凸部２２を本体１０前端面１２の凹部１３に嵌合することにより扉２１ａ、２１ｂが開閉可能となっている。凸部２２には、２枚の扉２１ａ、２１ｂを常時閉じる方向（図２中矢印Ａ方向）に付勢するとともにＳＣコネクタ５０がプラグ挿入口１１から挿入された際には２枚の扉２１ａ、２１ｂが開くのを許容する付勢手段としてのバネ２４が取り付けられている。また、２枚の扉２１ａ、２１ｂの幅は、プラグ挿入口１１の幅の半分よりも各々大きくなっており、閉じた際には先端部２３が重なるようになっている。なお、扉２１ａ、２１ｂの凸部２２を本体１０の凹部１３に嵌めただけでは一時的な固定状態であり、容易に前方に脱落する状態である。
【００２３】
図２に示すように、マスク部材３０は、中央にＳＣコネクタ５０が挿通可能な大きさの開口３１を有する矩形額縁状の前面３２を有している。マスク部材３０の上下両面には、後方（図２において右側）に突出して本体１０の係止溝１７に係入可能なロックアーム３３が２本ずつ設けられており、ロックアーム３３の先端内側面には内側に突出する係止部３３ａが各々設けられている。
従って、マスク部材３０を本体１０の前面に取り付けると、ロックアーム３３の係止部３３ａが本体１０の係止溝１７の深部１７ａに嵌ってマスク部材３０を固定することになる。
【００２４】
前面３２の後方には、中央部が後方に向かって高くなる山形形状をしたストッパ３４が設けられており、扉２１ａ、２１ｂが所定の角度で重なって止まるように位置規制する。
また、マスク部材３０の開口３１において対向する内周面には、ＳＣコネクタ５０の一外側面に設けられているキー突起５１（図５参照）が挿通可能なキー溝３２ａが設けられている。すなわち、図５に示すように、マスク部材３０の前面３２の内周面の上下両部中央には、ＳＣコネクタ５０のキー突起５１を係合してマスク部材３０の方向決めを行うキー溝３２ａが設けられており、ＳＣコネクタ５０が上下反転して挿入されても接続可能となっている。
【００２５】
次に、図３に基づいて、シャッター付き光接続部品であるレセプタクル１の組立工程に付いて説明する。
まず、図３（Ａ）および（Ｂ）に示すように、扉２１ａ、２１ｂの上下に突出している凸部２２を、本体１０の前端面１２に設けられている凹部１３に押し込んで、両扉２１ａ、２１ｂを回動自在に係止する。次いで、図３（Ｃ）に示すように、マスク部材３０を本体１０の前方から取り付けて、扉２１ａ、２１ｂを回動自在に固定する。このとき、マスク部材３０のロックアーム３３は本体１０の係止溝１７に埋没して、ロックアーム３３の上面と本体１０の上面は同一面を形成することとなる。また、ロックアーム３３の先端の係止部３３ａが係止溝１７の深部１７ａに嵌合することにより、マスク部材３０は本体１０の前面に固定されることになる。
【００２６】
以上、前述したシャッター付きレセプタクル１によれば、プラグ挿入口１１を覆うシャッター２０を２枚の扉２１ａ、２１ｂで構成したので、扉２１ａ、２１ｂの開閉に必要な空間を狭くすることができ、シャッター付きレセプタクル１の小型化を図ることができる。また、２枚の扉２１ａ、２１ｂの先端部２３が互いに重なるようにすることによりプラグ挿入口１１を完全に閉じるので、外部からの埃等の侵入を完全に遮断することができ、防塵性を向上させることができることになる。また、各扉２１ａ、２１ｂの上下両端から突出する凸部２２を本体１０の前端面１２に形成した凹部１３に嵌合させることにより各扉２１ａ、２１ｂを回動自在にするとともに、プラグ挿入口１１の前方からマスク部材３０を被せて各扉２１ａ、２１ｂを開閉自在に固定するので、容易に組み立てることができる。さらに、マスク部材３０の対向する２つの内周面にキー溝３２が設けられているので、ＳＣコネクタ５０を上下反対に挿入した場合でも接合することができ、ＳＣコネクタ５０との接続が容易になる。
【００２７】
次に、本発明に係る第２の実施の形態を図面に基づいて詳細に説明する。
図６は本発明のシャッター付き光接続部品に係る第２の実施の形態であるシャッター付きレセプタクルを示す斜視図である。なお、前述した第１の実施の形態と共通する部位には同じ符号を付して重複する説明を省略することとする。
図６に示すように、このシャッター付きレセプタクル２では、本体１０Ｂにプラグ挿入口１１が複数個（ここでは２個）並設されたものである。すなわち、プラグ挿入口１１を２個備えた筒状の本体１０Ｂと、２組のシャッター２０、２０と、２組のシャッター２０、２０を前面から覆う２つの開口３１を有する１個のマスク部材３０Ｂとから構成されている。
【００２８】
以上、前述したシャッター付きレセプタクル２によれば、本体１０Ｂが複数個のプラグ挿入口１１、１１を有するので、複数個のＳＣコネクタ５０の接続が可能となる。
また、複数個のプラグ挿入口に合わせて複数の開口を有するマスク部材を準備するだけで、複数個のプラグ挿入口を有するシャッター付き光接続部品を容易に構成できる。
なお、マスク部材３０Ｂを、プラグ挿入口１１ごとに別個に設けるようにすることもできる。
【００２９】
なお、本発明のシャッター付き光接続部品は、前述した各実施の形態に限定されるものでなく、適宜な変形，改良等が可能である。
例えば、前述した各実施の形態において、光接続部品として一方の側にＳＣコネクタ５０を装着するレセプタクル１、２を例示したが、本発明のシャッター付き光接続部品は両側にＳＣコネクタ５０を装着するアダプタにも適用可能である。
また、コネクタとしてＳＣコネクタ５０を例示したが、その他の種々のコネクタに付いても適用可能である。
【産業上の利用可能性】
【００３０】
以上のように、本発明に係るシャッター付き光接続部品は、プラグ挿入口を覆うシャッターを２枚の扉で構成したので、扉の開閉に必要な空間を狭くすることができ、よって、シャッター付き光接続部品の小型化を図ることができる。また、２枚の扉の先端部が互いに重なるようにすることによりプラグ挿入口を完全に閉じるので、外部からの埃等の侵入を完全に遮断することができ、防塵性を向上させることができるという効果を有し、非使用時には挿入口がシャッターにより塞がれるシャッター付き光接続部品等として有用である。
【図面の簡単な説明】
【００３１】
【図１】本発明のシャッター付き光接続部品に係る第１の実施の形態であるシャッター付きレセプタクルを示す斜視図である。
【図２】シャッター付きレセプタクルの分解斜視図である。
【図３】（Ａ）〜（Ｃ）は組立工程を示す斜視図である。
【図４】シャッター取付部の拡大斜視図である。
【図５】シャッター付きレセプタクルにコネクタを挿入する状態を示す斜視図である。
【図６】本発明のシャッター付き光接続部品に係る第２の実施の形態であるシャッター付きレセプタクルを示す斜視図である。
【図７】従来のシャッター付き光接続部品の、（Ａ）分解斜視図、（Ｂ）全体斜視図である。
【図８】従来の他のシャッター付き光接続部品の、（Ａ）シャッターが閉じた状態を示す正面図、（Ｂ）シャッターが開いた状態を示す正面図である。
【符号の説明】
【００３２】
１，２  レセプタクル（シャッター付き光接続部品）
１０、１０Ｂ  本体
１１  プラグ挿入口
１１ａ、１１ｂ  対向する２面
１２  前端面
１３  凹部
２０  シャッター
２１ａ、２１ｂ  扉
２２  凸部
２３  先端部
２４  バネ（付勢手段）
３０、３０Ｂ  マスク部材
３１  開口
３２ａ  キー溝
５０  ＳＣコネクタ（プラグ）
５１  キー突起
【図１】
2006220951.tif 000003
【図２】
2006220951.tif 000004
【図３】
2006220951.tif 000005
【図４】
2006220951.tif 000006
【図５】
2006220951.tif 000007
【図６】
2006220951.tif 000008
【図７】
2006220951.tif 000009
【図８】
2006220951.tif 000010
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
少なくとも一方の側に光ファイバケーブルのプラグが挿入されるプラグ挿入口を有する本体と、前記プラグ挿入口を塞ぐシャッターを開閉自在に備えたシャッター付き光接続部品であって、
前記シャッターが、前記プラグが挿入された際には内側に回動する２枚の扉から構成され、
前記プラグを挿通可能にする大きさの開口を有し、前記本体の前記プラグ挿入口に被せるマスク部材を備え、
前記２枚の扉は、前記マスク部材を前記本体に被せることにより、前記本体に形成した凹部に上下両端に設けられた凸部を係合して固定されることを特徴とするシャッター付き光接続部品。
【請求項２】
前記２枚の扉は、閉じた際には先端部が互いに重なることを特徴とする請求項１に記載のシャッター付き光接続部品。
【請求項３】
前記２枚の扉を常時閉じる方向に付勢するとともに前記プラグが前記プラグ挿入口から挿入された際には前記２枚の扉が開くのを許容する付勢手段を有することを特徴とする請求項１または請求項２に記載のシャッター付き光接続部品。
【請求項４】
前記本体の前記プラグ挿入口において対向する２面に、前記プラグの１外側面に設けられているキー突起が挿嵌可能なキー溝が設けられていることを特徴とする請求項１から請求項３のいずれかに記載のシャッター付き光接続部品。
【請求項５】
前記本体が、前記プラグ挿入口が複数個並設されたものであることを特徴とする請求項１から請求項４のいずれかに記載のシャッター付き光接続部品。
【手続補正２】
【補正対象書類名】明細書
【補正対象項目名】全文
【補正方法】変更
【補正の内容】
【発明の詳細な説明】
【技術分野】
【０００１】
本発明はシャッター付き光接続部品に係り、例えば、光ファイバケーブルに装着されたプラグを挿入して他の光ファイバケーブルと光結合するための光接続部品であって、非使用時には挿入口がシャッターにより塞がれるシャッター付き光接続部品に関するものである。
【背景技術】
【０００２】
従来より、シャッター付き光接続部品が知られている（例えば特許文献１、特許文献２参照）。
図７（Ａ）は特許文献１に開示されているシャッター付きアダプタの分解斜視図、（Ｂ）は全体の斜視図である。
図に示すように、このシャッター付きアダプタ１００では、ハウジング１０１の底部外壁１０２に沿って設けられる底板１０３と、底板１０３から立ち上がる立上り部１０４とを備えた略Ｌ字状のシャッター板１０５と、ハウジング１０１の底部外壁１０２に沿って設けられる底部板１０６と底部板１０６からハウジング１０１の両側部壁に沿って立ち上がる側部板１０７とを備えた支持板１０８が設けられており、シャッター板１０５を支持板１０８とハウジング１０１の底部外壁１０２との間に挟んで固定する。
シャッター板１０５は弾性部材より形成されており、光コネクタをこのアダプタ１００に挿入嵌合する際には、シャッター板１０５の立上り部１０４が折り曲げられる。一方、光コネクタを取り外すと、立上り部１０４が弾性復元力により光コネクタの挿入口１０９側に立ち上がり、光コネクタ挿入口１０９側に向けて送信される光を遮断する。
【０００３】
また、図８（Ａ）には特許文献２に開示されているシャッター付きコネクタにおけるシャッターが閉じた状態を示す正面図、（Ｂ）はシャッターが開いた状態を示す正面図である。
この光コネクタ１１０では、光ファイバケーブルのプラグ部が挿入される挿入孔１１１と、この挿入孔１１１に挿入された光ファイバケーブルと光学的に結合した光素子と、挿入孔１１１を開閉するシャッター１１２とを備えている。従って、光ファイバケーブルのプラグ部が挿入孔１１１に挿入されると、図８（Ｂ）に示すように、プラグ部によってシャッター１１２が押し込まれて開き、プラグ部が挿入されることになる。一方、プラグ部が取り外されると、図８（Ａ）に示すように、シャッター１１２が閉じるようになっている。
【特許文献１】特開２００１−１９４５６２号公報
【特許文献２】特開２００２−３６５４９２号公報
【発明の開示】
【発明が解決しようとする課題】
【０００４】
ところで、図７において前述した特許文献１に開示されているシャッター付きアダプタ１００では、光素子の前面のみを覆うものであり、アダプタ１００内部への埃等の進入を阻止することができず防塵性にかけるという不都合があった。
また、図８において前述した特許文献２に開示されているコネクタ１１０においては、一枚板のシャッター１１２が開閉する構造となっているので開閉に必要な空間を大きく確保する必要があり、コネクタの小型化を図ることができないという不都合があった。
【０００５】
本発明は、前述した問題点に鑑みてなされたものであり、その目的は、防塵性を向上させることができるとともに小型化が可能なシャッター付き光接続部品を提供することにある。
【課題を解決するための手段】
【０００６】
前述した目的を達成するために、本発明にかかるシャッター付き光接続部品は、少なくとも一方の側に光ファイバケーブルのプラグが挿入されるプラグ挿入口を有する本体と、前記プラグ挿入口を塞ぐシャッターを開閉自在に備えたシャッター付き光接続部品であって、前記シャッターが、前記プラグが挿入された際には内側に回動する２枚の扉から構成され、前記プラグを挿通可能にする大きさの開口を有し、前記本体の前記プラグ挿入口に被せるマスク部材を備え、前記２枚の扉は、前記マスク部材を前記本体に被せることにより、前記本体に形成した凹部に上下両端に設けられた凸部を係合して固定されることを特徴としている。
【０００７】
このように構成されたシャッター付き光接続部品においては、プラグ挿入口を覆うシャッターを２枚の扉で構成したので、扉の開閉に必要な空間を狭くすることができ、シャッター付き光接続部品の小型化を図ることができる。また、マスク部材を備えることにより外部からの埃等の侵入を完全に遮断することができ、防塵性を向上させることができることになる。
また、各扉の上下両端から突出する凸部を本体の前端面に形成した凹部に嵌合させることにより各扉を回動自在にするとともに、プラグ挿入口の前方からマスク部材を被せて各扉を開閉自在に固定するので、容易に組み立てることができる。
【０００８】
削除
【０００９】
削除
【００１０】
また、本発明にかかるシャッター付き光接続部品は、前述したように、プラグ挿入口を遮断するシャッターを２枚の扉で構成したものであって、前記２枚の扉は、閉じた際には先端部が互いに重なることを特徴としている。
【００１１】
このように構成されたシャッター付き光接続部品においては、プラグを挿入していない状態では完全にプラグ挿入口を遮断することができるので、外部からの埃等の侵入を完全に遮断することができ、防塵性を向上させることができることになる。
【００１２】
また、本発明にかかるシャッター付き光接続部品は、前述したように、プラグ挿入口を遮断するシャッターを２枚の扉で構成したものであって、前記２枚の扉を常時閉じる方向に付勢するとともに前記プラグが前記プラグ挿入口から挿入された際には前記２枚の扉が開くのを許容する付勢手段を有することを特徴としている。
【００１３】
このように構成されたシャッター付き光接続部品においては、プラグ挿入口にプラグを挿入する際には２枚の扉が開くが、プラグを取り外すと２枚の扉は付勢手段により閉じるので、外部からの埃等の侵入を完全に遮断することができ、防塵性を向上させることができることになる。
【００１４】
また、本発明にかかるシャッター付き光接続部品は、前述したように、本体に設けられているプラグ挿入口に光ファイバケーブルのプラグを挿入して結合するものであって、前記本体の前記プラグ挿入口において対向する２面に、前記プラグの１外側面に設けられているキー突起が挿嵌可能なキー溝が設けられていることを特徴としている。
【００１５】
このように構成されたシャッター付き光接続部品においては、本体のプラグ挿入口における対向する２面にキー溝を設けたので、プラグを上下反対に挿入した場合でもプラグに設けられているキー突起はキー溝に嵌合可能となる。このため、プラグの接続が容易になる。
【００１６】
また、本発明にかかるシャッター付き光接続部品は、前述したように、本体に設けられているプラグ挿入口に光ファイバケーブルのプラグを挿入して結合するものであって、前記本体が、前記プラグ挿入口が複数個並設されたものであることを特徴としている。
【００１７】
このように構成されたシャッター付き光接続部品においては、本体が複数個のプラグ挿入口を有するので、複数本の光ファイバケーブルの接続が可能になるとともに、複数個のプラグ挿入口に合わせて複数の開口を有するマスク部材を設計すれば、シャッター付き光接続部品を容易に構成できる。
【発明の効果】
【００１８】
本発明によれば、プラグ挿入口を覆うシャッターを２枚の扉で構成したので、扉の開閉に必要な空間を狭くすることができ、シャッター付き光接続部品の小型化を図ることができる。また、マスク部材を備えることによって、外部からの埃等の侵入を遮断することができ、防塵性を向上させることができるという効果が得られる。
【発明を実施するための最良の形態】
【００１９】
以下、本発明に係る好適な実施の形態を図面に基づいて詳細に説明する。
図１は本発明のシャッター付き光接続部品に係る第１の実施の形態であるシャッター付きレセプタクルを示す斜視図、図２はシャッター付きレセプタクルの分解斜視図、図３（Ａ）〜（Ｃ）は組立工程を示す斜視図、図４はシャッター取付部の拡大斜視図、図５はシャッター付きレセプタクルにコネクタを挿入する状態を示す斜視図である。
【００２０】
図１および図２に示すように、本発明の第１の実施の形態であるシャッター付き光接続部品としてのシャッター付レセプタクル１は、少なくとも一方の側（図１においては左側）に光ファイバケーブルのプラグであるＳＣコネクタ５０（図５参照）が挿入されるプラグ挿入口１１を有する筒状の本体１０と、プラグ挿入口１１を塞ぐシャッター２０を開閉自在に備えている。そして、シャッター２０は、本体１０のプラグ挿入口１１において対向する２面１１ａ、１１ｂの前端面１２に形成された凹部１３に、上下両端に設けられた凸部２２を係合させることにより回動自在に支持されるとともに、シャッター２０が閉じた際には先端部２３が互いに重なり、ＳＣコネクタ５０が挿入された際には本体１０の内側に回動する２枚の扉２１ａ、２１ｂから構成されている。なお、凹部１３は凸部２２を圧入することによって仮支持できるように、平面視鍵穴状に形成されていると望ましい。
また、シャッター付レセプタクル１は、ＳＣコネクタ５０が挿通可能な大きさの開口３１を有するとともに２枚の扉２１ａ、２１ｂの凸部２２を押えることにより２枚の扉２１ａ、２１ｂを本体１０に回動自在に固定すべく本体１０のプラグ挿入口１１に被せるマスク部材３０とを備えている。
【００２１】
さらにシャッター付レセプタクル１の構成について詳述する。
図１および図２に示すように、本体１０におけるプラグ挿入口１１にはマスク部材３０を取付けるフランジ部１４が全周にわたって設けられており、フランジ部１４の上下両面の前端面１２には前方（図２において左側）へ開放された部分縁形状をした凹部１３が設けられている。また、フランジ部１４の後方（図２において右側）には、マスク部材３０を取り付けた際に本体１０の外周面がマスク部材３０と同じ高さとなる段部１６が設けられており、この段部１６の上下両面には、マスク部材３０を係止するための係止溝１７が各々２条ずつ設けられている。なお、係止溝１７の先端部は一段下がった深部１７ａが設けられている。
【００２２】
図２および図４に示すように、２枚の扉２１ａ、２１ｂの上面には回動軸となる円形断面をした棒状の凸部２２が設けられており、この凸部２２を本体１０前端面１２の凹部１３に嵌合することにより扉２１ａ、２１ｂが開閉可能となっている。凸部２２には、２枚の扉２１ａ、２１ｂを常時閉じる方向（図２中矢印Ａ方向）に付勢するとともにＳＣコネクタ５０がプラグ挿入口１１から挿入された際には２枚の扉２１ａ、２１ｂが開くのを許容する付勢手段としてのバネ２４が取り付けられている。また、２枚の扉２１ａ、２１ｂの幅は、プラグ挿入口１１の幅の半分よりも各々大きくなっており、閉じた際には先端部２３が重なるようになっている。なお、扉２１ａ、２１ｂの凸部２２を本体１０の凹部１３に嵌めただけでは一時的な固定状態であり、容易に前方に脱落する状態である。
【００２３】
図２に示すように、マスク部材３０は、中央にＳＣコネクタ５０が挿通可能な大きさの開口３１を有する矩形額縁状の前面３２を有している。マスク部材３０の上下両面には、後方（図２において右側）に突出して本体１０の係止溝１７に係入可能なロックアーム３３が２本ずつ設けられており、ロックアーム３３の先端内側面には内側に突出する係止部３３ａが各々設けられている。
従って、マスク部材３０を本体１０の前面に取り付けると、ロックアーム３３の係止部３３ａが本体１０の係止溝１７の深部１７ａに嵌ってマスク部材３０を固定することになる。
【００２４】
前面３２の後方には、中央部が後方に向かって高くなる山形形状をしたストッパ３４が設けられており、扉２１ａ、２１ｂが所定の角度で重なって止まるように位置規制する。
また、マスク部材３０の開口３１において対向する内周面には、ＳＣコネクタ５０の一外側面に設けられているキー突起５１（図５参照）が挿通可能なキー溝３２ａが設けられている。すなわち、図５に示すように、マスク部材３０の前面３２の内周面の上下両部中央には、ＳＣコネクタ５０のキー突起５１を係合してマスク部材３０の方向決めを行うキー溝３２ａが設けられており、ＳＣコネクタ５０が上下反転して挿入されても接続可能となっている。
【００２５】
次に、図３に基づいて、シャッター付き光接続部品であるレセプタクル１の組立工程に付いて説明する。
まず、図３（Ａ）および（Ｂ）に示すように、扉２１ａ、２１ｂの上下に突出している凸部２２を、本体１０の前端面１２に設けられている凹部１３に押し込んで、両扉２１ａ、２１ｂを回動自在に係止する。次いで、図３（Ｃ）に示すように、マスク部材３０を本体１０の前方から取り付けて、扉２１ａ、２１ｂを回動自在に固定する。このとき、マスク部材３０のロックアーム３３は本体１０の係止溝１７に埋没して、ロックアーム３３の上面と本体１０の上面は同一面を形成することとなる。また、ロックアーム３３の先端の係止部３３ａが係止溝１７の深部１７ａに嵌合することにより、マスク部材３０は本体１０の前面に固定されることになる。
【００２６】
以上、前述したシャッター付きレセプタクル１によれば、プラグ挿入口１１を覆うシャッター２０を２枚の扉２１ａ、２１ｂで構成したので、扉２１ａ、２１ｂの開閉に必要な空間を狭くすることができ、シャッター付きレセプタクル１の小型化を図ることができる。また、２枚の扉２１ａ、２１ｂの先端部２３が互いに重なるようにすることによりプラグ挿入口１１を完全に閉じるので、外部からの埃等の侵入を完全に遮断することができ、防塵性を向上させることができることになる。また、各扉２１ａ、２１ｂの上下両端から突出する凸部２２を本体１０の前端面１２に形成した凹部１３に嵌合させることにより各扉２１ａ、２１ｂを回動自在にするとともに、プラグ挿入口１１の前方からマスク部材３０を被せて各扉２１ａ、２１ｂを開閉自在に固定するので、容易に組み立てることができる。さらに、マスク部材３０の対向する２つの内周面にキー溝３２が設けられているので、ＳＣコネクタ５０を上下反対に挿入した場合でも接合することができ、ＳＣコネクタ５０との接続が容易になる。
【００２７】
次に、本発明に係る第２の実施の形態を図面に基づいて詳細に説明する。
図６は本発明のシャッター付き光接続部品に係る第２の実施の形態であるシャッター付きレセプタクルを示す斜視図である。なお、前述した第１の実施の形態と共通する部位には同じ符号を付して重複する説明を省略することとする。
図６に示すように、このシャッター付きレセプタクル２では、本体１０Ｂにプラグ挿入口１１が複数個（ここでは２個）並設されたものである。すなわち、プラグ挿入口１１を２個備えた筒状の本体１０Ｂと、２組のシャッター２０、２０と、２組のシャッター２０、２０を前面から覆う２つの開口３１を有する１個のマスク部材３０Ｂとから構成されている。
【００２８】
以上、前述したシャッター付きレセプタクル２によれば、本体１０Ｂが複数個のプラグ挿入口１１、１１を有するので、複数個のＳＣコネクタ５０の接続が可能となる。
また、複数個のプラグ挿入口に合わせて複数の開口を有するマスク部材を準備するだけで、複数個のプラグ挿入口を有するシャッター付き光接続部品を容易に構成できる。
なお、マスク部材３０Ｂを、プラグ挿入口１１ごとに別個に設けるようにすることもできる。
【００２９】
なお、本発明のシャッター付き光接続部品は、前述した各実施の形態に限定されるものでなく、適宜な変形，改良等が可能である。
例えば、前述した各実施の形態において、光接続部品として一方の側にＳＣコネクタ５０を装着するレセプタクル１、２を例示したが、本発明のシャッター付き光接続部品は両側にＳＣコネクタ５０を装着するアダプタにも適用可能である。
また、コネクタとしてＳＣコネクタ５０を例示したが、その他の種々のコネクタに付いても適用可能である。
【産業上の利用可能性】
【００３０】
以上のように、本発明に係るシャッター付き光接続部品は、プラグ挿入口を覆うシャッターを２枚の扉で構成したので、扉の開閉に必要な空間を狭くすることができ、よって、シャッター付き光接続部品の小型化を図ることができる。また、２枚の扉の先端部が互いに重なるようにすることによりプラグ挿入口を完全に閉じるので、外部からの埃等の侵入を完全に遮断することができ、防塵性を向上させることができるという効果を有し、非使用時には挿入口がシャッターにより塞がれるシャッター付き光接続部品等として有用である。
【図面の簡単な説明】
【００３１】
【図１】本発明のシャッター付き光接続部品に係る第１の実施の形態であるシャッター付きレセプタクルを示す斜視図である。
【図２】シャッター付きレセプタクルの分解斜視図である。
【図３】（Ａ）〜（Ｃ）は組立工程を示す斜視図である。
【図４】シャッター取付部の拡大斜視図である。
【図５】シャッター付きレセプタクルにコネクタを挿入する状態を示す斜視図である。
【図６】本発明のシャッター付き光接続部品に係る第２の実施の形態であるシャッター付きレセプタクルを示す斜視図である。
【図７】従来のシャッター付き光接続部品の、（Ａ）分解斜視図、（Ｂ）全体斜視図である。
【図８】従来の他のシャッター付き光接続部品の、（Ａ）シャッターが閉じた状態を示す正面図、（Ｂ）シャッターが開いた状態を示す正面図である。
【符号の説明】
【００３２】
１，２  レセプタクル（シャッター付き光接続部品）
１０、１０Ｂ  本体
１１  プラグ挿入口
１１ａ、１１ｂ  対向する２面
１２  前端面
１３  凹部
２０  シャッター
２１ａ、２１ｂ  扉
２２  凸部
２３  先端部
２４  バネ（付勢手段）
３０、３０Ｂ  マスク部材
３１  開口
３２ａ  キー溝
５０  ＳＣコネクタ（プラグ）
５１  キー突起
【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
少なくとも一方の側に光ファイバケーブルのプラグが挿入されるプラグ挿入口を有する本体と、前記プラグ挿入口を塞ぐシャッターを開閉自在に備えたシャッター付き光接続部品であって、
前記シャッターが、前記プラグが挿入された際には内側に回動する２枚の扉から構成され、
前記プラグを挿通可能にする大きさの開口を有し、且つ前記本体の前記プラグ挿入口に被せるため前記本体と対向する面より後方に突出して前記本体の係止溝に係止可能なロックアームが設けられたマスク部材を備え、
前記２枚の扉は、前記マスク部材を前記本体に被せることにより、前記本体に形成した凹部に上下両端に設けられた凸部を係合して固定されることを特徴とするシャッター付き光接続部品。
【請求項２】
前記凹部は前記凸部を仮支持できるように平面視鍵穴状に形成されていることを特徴とする請求項１に記載のシャッター付き光接続部品。
【請求項３】
前記プラグ挿入口には前記マスク部材を取り付けるフランジ部が全周にわたって設けられており、前記フランジ部の後方には前記マスク部材を取り付けた際に前記本体の外周面が前記マスク部材と同じ高さとなる段部が設けられていることを特徴とする請求項１または請求項２に記載のシャッター付き光接続部品。
【請求項４】
前記マスク部材には前記扉が所定の角度で重なって止まるように位置規制するストッパが設けられており、前記２枚の扉は、閉じた際には先端部が互いに重なることを特徴とする請求項１から請求項３のいずれかに記載のシャッター付き光接続部品。
【請求項５】
前記２枚の扉を常時閉じる方向に付勢するとともに前記プラグが前記プラグ挿入口から挿入された際には前記２枚の扉が開くのを許容する付勢手段を有することを特徴とする請求項１から請求項４にいずれかに記載のシャッター付き光接続部品。
【請求項６】
前記本体の前記プラグ挿入口において対向する２面に、前記プラグの１外側面に設けられているキー突起が挿嵌可能なキー溝が設けられていることを特徴とする請求項１から請求項５のいずれかに記載のシャッター付き光接続部品。
【請求項７】
前記本体が、前記プラグ挿入口が複数個並設されたものであることを特徴とする請求項１から請求項６のいずれかに記載のシャッター付き光接続部品。
【手続補正２】
【補正対象書類名】明細書
【補正対象項目名】全文
【補正方法】変更
【補正の内容】
【発明の詳細な説明】
【技術分野】
【０００１】
本発明はシャッター付き光接続部品に係り、例えば、光ファイバケーブルに装着されたプラグを挿入して他の光ファイバケーブルと光結合するための光接続部品であって、非使用時には挿入口がシャッターにより塞がれるシャッター付き光接続部品に関するものである。
【背景技術】
【０００２】
従来より、シャッター付き光接続部品が知られている（例えば特許文献１、特許文献２参照）。
図７（Ａ）は特許文献１に開示されているシャッター付きアダプタの分解斜視図、（Ｂ）は全体の斜視図である。
図に示すように、このシャッター付きアダプタ１００では、ハウジング１０１の底部外壁１０２に沿って設けられる底板１０３と、底板１０３から立ち上がる立上り部１０４とを備えた略Ｌ字状のシャッター板１０５と、ハウジング１０１の底部外壁１０２に沿って設けられる底部板１０６と底部板１０６からハウジング１０１の両側部壁に沿って立ち上がる側部板１０７とを備えた支持板１０８が設けられており、シャッター板１０５を支持板１０８とハウジング１０１の底部外壁１０２との間に挟んで固定する。
シャッター板１０５は弾性部材より形成されており、光コネクタをこのアダプタ１００に挿入嵌合する際には、シャッター板１０５の立上り部１０４が折り曲げられる。一方、光コネクタを取り外すと、立上り部１０４が弾性復元力により光コネクタの挿入口１０９側に立ち上がり、光コネクタ挿入口１０９側に向けて送信される光を遮断する。
【０００３】
また、図８（Ａ）には特許文献２に開示されているシャッター付きコネクタにおけるシャッターが閉じた状態を示す正面図、（Ｂ）はシャッターが開いた状態を示す正面図である。
この光コネクタ１１０では、光ファイバケーブルのプラグ部が挿入される挿入孔１１１と、この挿入孔１１１に挿入された光ファイバケーブルと光学的に結合した光素子と、挿入孔１１１を開閉するシャッター１１２とを備えている。従って、光ファイバケーブルのプラグ部が挿入孔１１１に挿入されると、図８（Ｂ）に示すように、プラグ部によってシャッター１１２が押し込まれて開き、プラグ部が挿入されることになる。一方、プラグ部が取り外されると、図８（Ａ）に示すように、シャッター１１２が閉じるようになっている。
【特許文献１】特開２００１−１９４５６２号公報
【特許文献２】特開２００２−３６５４９２号公報
【発明の開示】
【発明が解決しようとする課題】
【０００４】
ところで、図７において前述した特許文献１に開示されているシャッター付きアダプタ１００では、光素子の前面のみを覆うものであり、アダプタ１００内部への埃等の進入を阻止することができず防塵性にかけるという不都合があった。
また、図８において前述した特許文献２に開示されているコネクタ１１０においては、一枚板のシャッター１１２が開閉する構造となっているので開閉に必要な空間を大きく確保する必要があり、コネクタの小型化を図ることができないという不都合があった。
【０００５】
本発明は、前述した問題点に鑑みてなされたものであり、その目的は、防塵性を向上させることができるとともに小型化が可能なシャッター付き光接続部品を提供することにある。
【課題を解決するための手段】
【０００６】
前述した目的を達成するために、本発明にかかるシャッター付き光接続部品は、少なくとも一方の側に光ファイバケーブルのプラグが挿入されるプラグ挿入口を有する本体と、前記プラグ挿入口を塞ぐシャッターを開閉自在に備えたシャッター付き光接続部品であって、前記シャッターが、前記プラグが挿入された際には内側に回動する２枚の扉から構成され、前記プラグを挿通可能にする大きさの開口を有し、且つ前記本体の前記プラグ挿入口に被せるため前記本体と対向する面より後方に突出して前記本体の係止溝に係止可能なロックアームが設けられたマスク部材を備え、前記２枚の扉は、前記マスク部材を前記本体に被せることにより、前記本体に形成した凹部に上下両端に設けられた凸部を係合して固定されることを特徴としている。
【０００７】
このように構成されたシャッター付き光接続部品においては、プラグ挿入口を覆うシャッターを２枚の扉で構成したので、扉の開閉に必要な空間を狭くすることができ、シャッター付き光接続部品の小型化を図ることができる。また、マスク部材を備えることにより外部からの埃等の侵入を完全に遮断することができ、防塵性を向上させることができることになる。
また、各扉の上下両端から突出する凸部を本体の前端面に形成した凹部に嵌合させることにより各扉を回動自在にするとともに、プラグ挿入口の前方からマスク部材を被せて各扉を開閉自在に固定するので、容易に組み立てることができる。
さらに、マスク部材はロックアームを本体の係止溝に係止させることにより２枚の扉を本体の前面方向から確実に固定できる。
【０００８】
また、本発明にかかるシャッター付き光接続部品は、前述したように、前記凹部は前記凸部を仮支持できるように平面視鍵穴状に形成されていることを特徴としている。
このように構成されたシャッター付き光接続部品においては、各扉の上下両端から突出した凸部を本体の平面視鍵穴状に形成した凹部に圧入して各扉を本体に仮支持できるので、後工程としてプラグ挿入口の前方からマスク部材を被せて各扉を本体に開閉自在に固定する組立を容易に行うことができる。
【０００９】
また、本発明にかかるシャッター付き光接続部品は、前述したように、前記プラグ挿入口には前記マスク部材を取り付けるフランジ部が全周にわたって設けられており、前記フランジ部の後方には前記マスク部材を取り付けた際に前記本体の外周面が前記マスク部材と同じ高さとなる段部が設けられていることを特徴としている。
このように構成されたシャッター付き光接続部品においては、プラグ挿入口の全周にわたってマスク部材を取り付けるフランジ部が設けられて、簡単な構造でプラグ挿入口全体を塞ぐことができる。
【００１０】
また、本発明にかかるシャッター付き光接続部品は、前述したように、前記マスク部材には前記扉が所定の角度で重なって止まるように位置規制するストッパが設けられており、前記２枚の扉は、閉じた際には先端部が互いに重なることを特徴としている。
【００１１】
このように構成されたシャッター付き光接続部品においては、２枚の扉は、プラグを挿入していない状態では所定の角度で重なって止まるように位置規制されて完全にプラグ挿入口を遮断することができるので、外部からの埃等の侵入を完全に遮断することができ、防塵性を向上させることができることになる。
【００１２】
また、本発明にかかるシャッター付き光接続部品は、前述したように、プラグ挿入口を遮断するシャッターを２枚の扉で構成したものであって、前記２枚の扉を常時閉じる方向に付勢するとともに前記プラグが前記プラグ挿入口から挿入された際には前記２枚の扉が開くのを許容する付勢手段を有することを特徴としている。
【００１３】
このように構成されたシャッター付き光接続部品においては、プラグ挿入口にプラグを挿入する際には２枚の扉が開くが、プラグを取り外すと２枚の扉は付勢手段により閉じるので、外部からの埃等の侵入を完全に遮断することができ、防塵性を向上させることができることになる。
【００１４】
また、本発明にかかるシャッター付き光接続部品は、前述したように、本体に設けられているプラグ挿入口に光ファイバケーブルのプラグを挿入して結合するものであって、前記本体の前記プラグ挿入口において対向する２面に、前記プラグの１外側面に設けられているキー突起が挿嵌可能なキー溝が設けられていることを特徴としている。
【００１５】
このように構成されたシャッター付き光接続部品においては、本体のプラグ挿入口における対向する２面にキー溝を設けたので、プラグを上下反対に挿入した場合でもプラグに設けられているキー突起はキー溝に嵌合可能となる。このため、プラグの接続が容易になる。
【００１６】
また、本発明にかかるシャッター付き光接続部品は、前述したように、本体に設けられているプラグ挿入口に光ファイバケーブルのプラグを挿入して結合するものであって、前記本体が、前記プラグ挿入口が複数個並設されたものであることを特徴としている。
【００１７】
このように構成されたシャッター付き光接続部品においては、本体が複数個のプラグ挿入口を有するので、複数本の光ファイバケーブルの接続が可能になるとともに、複数個のプラグ挿入口に合わせて複数の開口を有するマスク部材を設計すれば、シャッター付き光接続部品を容易に構成できる。
【発明の効果】
【００１８】
本発明によれば、プラグ挿入口を覆うシャッターを２枚の扉で構成したので、扉の開閉に必要な空間を狭くすることができ、シャッター付き光接続部品の小型化を図ることができる。また、マスク部材を備えることによって、外部からの埃等の侵入を遮断することができ、防塵性を向上させることができるという効果が得られる。
【発明を実施するための最良の形態】
【００１９】
以下、本発明に係る好適な実施の形態を図面に基づいて詳細に説明する。
図１は本発明のシャッター付き光接続部品に係る第１の実施の形態であるシャッター付きレセプタクルを示す斜視図、図２はシャッター付きレセプタクルの分解斜視図、図３（Ａ）〜（Ｃ）は組立工程を示す斜視図、図４はシャッター取付部の拡大斜視図、図５はシャッター付きレセプタクルにコネクタを挿入する状態を示す斜視図である。
【００２０】
図１および図２に示すように、本発明の第１の実施の形態であるシャッター付き光接続部品としてのシャッター付レセプタクル１は、少なくとも一方の側（図１においては左側）に光ファイバケーブルのプラグであるＳＣコネクタ５０（図５参照）が挿入されるプラグ挿入口１１を有する筒状の本体１０と、プラグ挿入口１１を塞ぐシャッター２０を開閉自在に備えている。そして、シャッター２０は、本体１０のプラグ挿入口１１において対向する２面１１ａ、１１ｂの前端面１２に形成された凹部１３に、上下両端に設けられた凸部２２を係合させることにより回動自在に支持されるとともに、シャッター２０が閉じた際には先端部２３が互いに重なり、ＳＣコネクタ５０が挿入された際には本体１０の内側に回動する２枚の扉２１ａ、２１ｂから構成されている。なお、凹部１３は凸部２２を圧入することによって仮支持できるように、平面視鍵穴状に形成されていると望ましい。
また、シャッター付レセプタクル１は、ＳＣコネクタ５０が挿通可能な大きさの開口３１を有するとともに２枚の扉２１ａ、２１ｂの凸部２２を押えることにより２枚の扉２１ａ、２１ｂを本体１０に回動自在に固定すべく本体１０のプラグ挿入口１１に被せるマスク部材３０とを備えている。
【００２１】
さらにシャッター付レセプタクル１の構成について詳述する。
図１および図２に示すように、本体１０におけるプラグ挿入口１１にはマスク部材３０を取付けるフランジ部１４が全周にわたって設けられており、フランジ部１４の上下両面の前端面１２には前方（図２において左側）へ開放された部分縁形状をした凹部１３が設けられている。また、フランジ部１４の後方（図２において右側）には、マスク部材３０を取り付けた際に本体１０の外周面がマスク部材３０と同じ高さとなる段部１６が設けられており、この段部１６の上下両面には、マスク部材３０を係止するための係止溝１７が各々２条ずつ設けられている。なお、係止溝１７の先端部は一段下がった深部１７ａが設けられている。
【００２２】
図２および図４に示すように、２枚の扉２１ａ、２１ｂの上面には回動軸となる円形断面をした棒状の凸部２２が設けられており、この凸部２２を本体１０前端面１２の凹部１３に嵌合することにより扉２１ａ、２１ｂが開閉可能となっている。凸部２２には、２枚の扉２１ａ、２１ｂを常時閉じる方向（図２中矢印Ａ方向）に付勢するとともにＳＣコネクタ５０がプラグ挿入口１１から挿入された際には２枚の扉２１ａ、２１ｂが開くのを許容する付勢手段としてのバネ２４が取り付けられている。また、２枚の扉２１ａ、２１ｂの幅は、プラグ挿入口１１の幅の半分よりも各々大きくなっており、閉じた際には先端部２３が重なるようになっている。なお、扉２１ａ、２１ｂの凸部２２を本体１０の凹部１３に嵌めただけでは一時的な固定状態であり、容易に前方に脱落する状態である。
【００２３】
図２に示すように、マスク部材３０は、中央にＳＣコネクタ５０が挿通可能な大きさの開口３１を有する矩形額縁状の前面３２を有している。マスク部材３０の上下両面には、後方（図２において右側）に突出して本体１０の係止溝１７に係入可能なロックアーム３３が２本ずつ設けられており、ロックアーム３３の先端内側面には内側に突出する係止部３３ａが各々設けられている。
従って、マスク部材３０を本体１０の前面に取り付けると、ロックアーム３３の係止部３３ａが本体１０の係止溝１７の深部１７ａに嵌ってマスク部材３０を固定することになる。
【００２４】
前面３２の後方には、中央部が後方に向かって高くなる山形形状をしたストッパ３４が設けられており、扉２１ａ、２１ｂが所定の角度で重なって止まるように位置規制する。
また、マスク部材３０の開口３１において対向する内周面には、ＳＣコネクタ５０の一外側面に設けられているキー突起５１（図５参照）が挿通可能なキー溝３２ａが設けられている。すなわち、図５に示すように、マスク部材３０の前面３２の内周面の上下両部中央には、ＳＣコネクタ５０のキー突起５１を係合してマスク部材３０の方向決めを行うキー溝３２ａが設けられており、ＳＣコネクタ５０が上下反転して挿入されても接続可能となっている。
【００２５】
次に、図３に基づいて、シャッター付き光接続部品であるレセプタクル１の組立工程に付いて説明する。
まず、図３（Ａ）および（Ｂ）に示すように、扉２１ａ、２１ｂの上下に突出している凸部２２を、本体１０の前端面１２に設けられている凹部１３に押し込んで、両扉２１ａ、２１ｂを回動自在に係止する。次いで、図３（Ｃ）に示すように、マスク部材３０を本体１０の前方から取り付けて、扉２１ａ、２１ｂを回動自在に固定する。このとき、マスク部材３０のロックアーム３３は本体１０の係止溝１７に埋没して、ロックアーム３３の上面と本体１０の上面は同一面を形成することとなる。また、ロックアーム３３の先端の係止部３３ａが係止溝１７の深部１７ａに嵌合することにより、マスク部材３０は本体１０の前面に固定されることになる。
【００２６】
以上、前述したシャッター付きレセプタクル１によれば、プラグ挿入口１１を覆うシャッター２０を２枚の扉２１ａ、２１ｂで構成したので、扉２１ａ、２１ｂの開閉に必要な空間を狭くすることができ、シャッター付きレセプタクル１の小型化を図ることができる。また、２枚の扉２１ａ、２１ｂの先端部２３が互いに重なるようにすることによりプラグ挿入口１１を完全に閉じるので、外部からの埃等の侵入を完全に遮断することができ、防塵性を向上させることができることになる。また、各扉２１ａ、２１ｂの上下両端から突出する凸部２２を本体１０の前端面１２に形成した凹部１３に嵌合させることにより各扉２１ａ、２１ｂを回動自在にするとともに、プラグ挿入口１１の前方からマスク部材３０を被せて各扉２１ａ、２１ｂを開閉自在に固定するので、容易に組み立てることができる。さらに、マスク部材３０の対向する２つの内周面にキー溝３２が設けられているので、ＳＣコネクタ５０を上下反対に挿入した場合でも接合することができ、ＳＣコネクタ５０との接続が容易になる。
【００２７】
次に、本発明に係る第２の実施の形態を図面に基づいて詳細に説明する。
図６は本発明のシャッター付き光接続部品に係る第２の実施の形態であるシャッター付きレセプタクルを示す斜視図である。なお、前述した第１の実施の形態と共通する部位には同じ符号を付して重複する説明を省略することとする。
図６に示すように、このシャッター付きレセプタクル２では、本体１０Ｂにプラグ挿入口１１が複数個（ここでは２個）並設されたものである。すなわち、プラグ挿入口１１を２個備えた筒状の本体１０Ｂと、２組のシャッター２０、２０と、２組のシャッター２０、２０を前面から覆う２つの開口３１を有する１個のマスク部材３０Ｂとから構成されている。
【００２８】
以上、前述したシャッター付きレセプタクル２によれば、本体１０Ｂが複数個のプラグ挿入口１１、１１を有するので、複数個のＳＣコネクタ５０の接続が可能となる。
また、複数個のプラグ挿入口に合わせて複数の開口を有するマスク部材を準備するだけで、複数個のプラグ挿入口を有するシャッター付き光接続部品を容易に構成できる。
なお、マスク部材３０Ｂを、プラグ挿入口１１ごとに別個に設けるようにすることもできる。
【００２９】
なお、本発明のシャッター付き光接続部品は、前述した各実施の形態に限定されるものでなく、適宜な変形，改良等が可能である。
例えば、前述した各実施の形態において、光接続部品として一方の側にＳＣコネクタ５０を装着するレセプタクル１、２を例示したが、本発明のシャッター付き光接続部品は両側にＳＣコネクタ５０を装着するアダプタにも適用可能である。
また、コネクタとしてＳＣコネクタ５０を例示したが、その他の種々のコネクタに付いても適用可能である。
【産業上の利用可能性】
【００３０】
以上のように、本発明に係るシャッター付き光接続部品は、プラグ挿入口を覆うシャッターを２枚の扉で構成したので、扉の開閉に必要な空間を狭くすることができ、よって、シャッター付き光接続部品の小型化を図ることができる。また、２枚の扉の先端部が互いに重なるようにすることによりプラグ挿入口を完全に閉じるので、外部からの埃等の侵入を完全に遮断することができ、防塵性を向上させることができるという効果を有し、非使用時には挿入口がシャッターにより塞がれるシャッター付き光接続部品等として有用である。
【図面の簡単な説明】
【００３１】
【図１】本発明のシャッター付き光接続部品に係る第１の実施の形態であるシャッター付きレセプタクルを示す斜視図である。
【図２】シャッター付きレセプタクルの分解斜視図である。
【図３】（Ａ）〜（Ｃ）は組立工程を示す斜視図である。
【図４】シャッター取付部の拡大斜視図である。
【図５】シャッター付きレセプタクルにコネクタを挿入する状態を示す斜視図である。
【図６】本発明のシャッター付き光接続部品に係る第２の実施の形態であるシャッター付きレセプタクルを示す斜視図である。
【図７】従来のシャッター付き光接続部品の、（Ａ）分解斜視図、（Ｂ）全体斜視図である。
【図８】従来の他のシャッター付き光接続部品の、（Ａ）シャッターが閉じた状態を示す正面図、（Ｂ）シャッターが開いた状態を示す正面図である。
【符号の説明】
【００３２】
１，２  レセプタクル（シャッター付き光接続部品）
１０、１０Ｂ  本体
１１  プラグ挿入口
１１ａ、１１ｂ  対向する２面
１２  前端面
１３  凹部
２０  シャッター
２１ａ、２１ｂ  扉
２２  凸部
２３  先端部
２４  バネ（付勢手段）
３０、３０Ｂ  マスク部材
３１  開口
３２ａ  キー溝
５０  ＳＣコネクタ（プラグ）
５１  キー突起